(57)【要約】【課題】バッテリパック側の２次電池収納用のハウジングを複数に分離した携帯型電気機器において、マイコン等の温度検知回路の製造コストを抑える。【解決手段】装置本体３は、複数のサーミスタ端子２２、２３の各々から入力された電圧の値を比較して、比較結果に応じた値の電圧を出力するコンパレータ１４と、サーミスタ端子２２、２３及びコンパレータ１４と接続されて、コンパレータ１４から入力された電圧の値に応じて、複数のサーミスタ端子２２、２３から入力された電圧のうち、最も低い値の電圧を選択的に出力するアナログスイッチＩＣ１５と、アナログスイッチＩＣ１５からの電圧を入力するための１つの入力ポート１０ａを有し、この入力ポート１０ａに入力された電圧に基づいて、複数に分離したハウジング４、５内の温度のうち、最も高い温度を検知するマイコン１０とを備える。【選択図】図１
2011154764.tif 000002
【特許請求の範囲】
【請求項１】
装置本体と、装置の携帯時に前記装置本体に電力を供給するバッテリパックとを備え、
前記バッテリパックは、２次電池を収納する複数に分離したハウジングを有する携帯型電気機器において、
前記各ハウジング内には、それぞれ該各ハウジング内の温度の検知用のサーミスタが配設されており、
前記バッテリパックは、複数のサーミスタ端子を有し、これらのサーミスタ端子の各々は、前記複数のサーミスタの各々に接続され、前記各ハウジング内の温度に応じた各サーミスタの抵抗値に対応した値の電圧を出力し、
前記装置本体は、
前記複数のサーミスタ端子の各々から入力された電圧の値を比較して、比較結果に応じた値の電圧を出力するコンパレータと、
前記複数のサーミスタ端子及び前記コンパレータと接続されて、前記コンパレータから入力された電圧の値に応じて、前記複数のサーミスタ端子から入力された電圧のうち、最も低い値又は最も高い値の電圧を選択的に出力するスイッチ回路と、
前記スイッチ回路からの電圧を入力するための１つの入力ポートを有し、この入力ポートに入力された電圧に基づいて、前記複数に分離したハウジング内の温度のうち、最も高い温度を検知する温度検知回路とを備えることを特徴とする携帯型電気機器。
【請求項２】
前記温度検知回路は、マイクロコントローラ（以下、マイコンと略す）であり、
前記マイコンは、前記温度検知回路による温度検知結果に基づいて、温度監視処理を行うことを特徴とする請求項１に記載の携帯型電気機器。
【請求項３】
前記バッテリパックが有するハウジングの数は、２つであり、
前記装置本体は、その端部の中央に凸部を有すると共に、この端部における前記凸部の左側と右側に、前記バッテリパックの各ハウジングを収納するための収納凹部を有し、
前記バッテリパックは、中央部にコの字型の凹部を有し、
前記凹部は、前記装置本体側の前記凸部に対応した位置に設けられ、該凸部よりも大きな左右方向の幅を持つことを特徴とする請求項１又は請求項２に記載の携帯型電気機器。
【発明の詳細な説明】
【技術分野】
【０００１】
本発明は、装置本体に電力を供給するバッテリパックを備えた携帯型光ディスク再生装置等の携帯型電気機器に関する。
【背景技術】
【０００２】
近年、携帯型光ディスク再生装置や携帯電話等の携帯型電気機器が増えている。携帯型電気機器では、ＮｉＣｄ（ニッケルカドミウム）電池等の充電式の２次電池を使用することが多い。この２次電池は、充放電時に高温になるので、液漏れや発火を起こす可能性がある。このため、従来の携帯型電気機器は、安全性の観点から、バッテリパック側の２次電池収納用のハウジング内の温度を検知して、ハウジング内や乾電池自体が所定の温度以上にならないように監視している（例えば、特許文献１乃至３参照）。具体的には、従来の携帯型電気機器では、２次電池を収納するハウジング内にサーミスタ等の温度検出用の素子を配して、この温度検出用の素子からの出力値をマイクロコントローラ（以下、マイコンと略す）等の温度検知回路に入力し、マイコン等の温度検知回路が、上記の温度検出用の素子からの出力値に基づいて、ハウジング内や乾電池自体が所定の温度以上になっているか否かを検知するようにしたものが多い。
【０００３】
上記の従来の携帯型電気機器において、装置の薄型化、小型化を図るために、バッテリパック側の２次電池収納用のハウジングを複数に分離した方がよい場合がある。
【０００４】
ところが、上記の従来のハウジング内の温度の検知方法を、バッテリパック側の２次電池収納用のハウジングを複数に分離した携帯型電気機器に適用した場合には、分離したそれぞれのハウジング内にサーミスタ等の温度検出用素子が必要になるだけではなく、マイコン等の温度検知回路側に、分離したそれぞれのハウジング内の温度検出用素子からの電圧等の出力を入力するためのポート（温度検知用の入力ポート）が複数必要になり、マイコン等の温度検知回路の製造コストが高くなるという問題があった。また、このように、分離したそれぞれのハウジング内の温度検出用素子からの入力に基づいて、分離した全てのハウジング内の温度をマイコン等の温度検知回路で監視した場合には、温度監視のための処理が複雑になるという問題があった。
【０００５】
ところで、２次電池の電池電圧切り換え装置の分野において、２次電池が消耗して電圧が比較的低下している状態と、２次電池が消耗しておらず電圧が比較的高い状態とで、電圧出力用の端子を切り換えるようにしたものが知られている（例えば、特許文献４参照）。また、充電回路の分野において、過電圧による電子機器の回路部品の寿命低下を抑制するために、供給電圧が基準電圧以上であるときに、充電経路を遮断するようにしたものが知られている（例えば、特許文献５参照）。けれども、これらの発明では、バッテリパック側の２次電池収納用のハウジングを複数に分離した場合における上記の問題を解決することができない。
【先行技術文献】
【特許文献】
【０００６】
【特許文献１】特開２０００−３２６７７号公報
【特許文献２】特開２００９−１３５０６４号公報
【特許文献３】特許第３１５７６８６号公報
【特許文献４】特開２０００−９２７３０号公報
【特許文献５】特開２０００−１２５４７７号公報
【発明の概要】
【発明が解決しようとする課題】
【０００７】
本発明は、上記課題を解決するものであり、バッテリパック側の２次電池収納用のハウジングを複数に分離した構成でありながら、温度検知回路における温度検知用の入力ポートの数を１つにすることができるようにして、マイコン等の温度検知回路の製造コストを抑えることができると共に、温度検知回路における温度監視処理を簡単にすることが可能な携帯型電気機器を提供することを目的とする。
【課題を解決するための手段】
【０００８】
上記課題を解決するために、請求項1の発明は、装置本体と、装置の携帯時に前記装置本体に電力を供給するバッテリパックとを備え、前記バッテリパックは、２次電池を収納する複数に分離したハウジングを有する携帯型電気機器において、前記各ハウジング内には、それぞれ該各ハウジング内の温度の検知用のサーミスタが配設されており、前記バッテリパックは、複数のサーミスタ端子を有し、これらのサーミスタ端子の各々は、前記複数のサーミスタの各々に接続され、前記各ハウジング内の温度に応じた各サーミスタの抵抗値に対応した値の電圧を出力し、前記装置本体は、前記複数のサーミスタ端子の各々から入力された電圧の値を比較して、比較結果に応じた値の電圧を出力するコンパレータと、前記複数のサーミスタ端子及び前記コンパレータと接続されて、前記コンパレータから入力された電圧の値に応じて、前記複数のサーミスタ端子から入力された電圧のうち、最も低い値又は最も高い値の電圧を選択的に出力するスイッチ回路と、前記スイッチ回路からの電圧を入力するための１つの入力ポートを有し、この入力ポートに入力された電圧に基づいて、前記複数に分離したハウジング内の温度のうち、最も高い温度を検知する温度検知回路とを備えるものである。
【０００９】
請求項２の発明は、請求項１に記載の携帯型電気機器において、前記温度検知回路は、マイクロコントローラ（以下、マイコンと略す）であり、前記マイコンは、前記温度検知回路による温度検知結果に基づいて、温度監視処理を行うものである。
【００１０】
請求項３の発明は、請求項１又は請求項２に記載の携帯型電気機器において、前記バッテリパックが有するハウジングの数は、２つであり、前記装置本体は、その端部の中央に凸部を有すると共に、この端部における前記凸部の左側と右側に、前記バッテリパックの各ハウジングを収納するための収納凹部を有し、前記バッテリパックは、中央部にコの字型の凹部を有し、前記凹部は、前記装置本体側の前記凸部に対応した位置に設けられ、該凸部よりも大きな左右方向の幅を持つものである。
【発明の効果】
【００１１】
請求項１の発明によれば、温度検知回路が、１つの入力ポートに入力された電圧に基づいて、複数に分離したハウジング内の温度のうち、最も高い温度を検知することができるので、バッテリパック側の２次電池収納用のハウジングを複数に分離した構成でありながら、温度検知回路における温度検知用の入力ポートの数を１つにすることができる。これにより、温度検知回路の製造コストを抑えることができる。また、従来のように、マイコン等の温度検知回路が、複数に分離した全てのハウジング内のサーミスタ（端子）からの入力に基づいて、分離した全てのハウジング内の温度の検知を行った場合と比べて、温度検知回路による温度検知結果を用いて温度検知回路等で行われる温度監視処理を簡単にすることができる。
【００１２】
請求項２の発明によれば、マイコンが、複数に分離したハウジング内の温度のうち、最も高い温度を検知して、この最も高い温度に基づいて温度監視処理を行うので、従来のように、複数に分離した全てのハウジング内のサーミスタ（端子）からの入力に基づいて、分離した全てのハウジング内の温度の検知と監視を行った場合と比べて、マイコン側で行われる温度監視処理を簡単にすることができる。
【００１３】
請求項３の発明によれば、バッテリパック側の凹部が、装置本体側の凸部に対応した位置に設けられ、凸部よりも大きな左右方向の幅を持ち、しかも、装置本体の端部における凸部の左側と右側に、バッテリパックの各ハウジングを収納するための収納凹部を設ける構成にした。これにより、上記請求項１又は請求項２に記載の効果に加えて、バッテリパックを装置本体に効率よく収納して、装置の小型化と薄型化を図ることができる。
【図面の簡単な説明】
【００１４】
【図１】本実施形態に係る光ディスク再生装置の電気的ブロック構成図。
【図２】ハウジングを複数に分離する必要性のあるケースの光ディスク再生装置の分解斜視図。
【図３】図２中の装置本体にバッテリパックを装着した状態を示す斜視図。
【発明を実施するための形態】
【００１５】
以下、本発明の一実施形態について、図面を参照して説明する。以下の実施形態では、本発明を携帯型光ディスク再生装置に適用した場合の例について説明する。なお、以下に記載した実施形態は、本発明を網羅するものではなく、本発明は、下記の形態だけに限定されない。
【００１６】
図１は、本実施形態による携帯型光ディスク再生装置（以下、光ディスク再生装置と略す）（請求項における携帯型電気機器）の電気的ブロック構成を示す。光ディスク再生装置１は、装置本体３と、装置の携帯時に装置本体３に電力を供給するバッテリパック２と、装置本体３からの電力供給を受けて映像を表示する液晶表示部１３を備えている。
【００１７】
上記のバッテリパック２は、２次電池４１、５１を収納するための２つに分離したハウジング４、５を有している。これらの各ハウジング４、５内には、それぞれ各ハウジング４、５内の温度の検知用のサーミスタ４２、５２が配設されている。また、バッテリパック２は、ハウジング４、５内に収納されている全ての２次電池４１、５１についての共通の充電回路や充放電制御回路が形成された回路基板６を備えている。バッテリパック２の端部（回路基板６の端部）には、回路基板６を介して直列接続された２次電池４１、５１の両端の正極端子と負極端子とに接続された、バッテリパック側の正極端子２１と負極端子２４とが設けられている。また、バッテリパック２の端部（回路基板６の端部）には、回路基板６を介してハウジング４内のサーミスタ４２の一端に接続されて、ハウジング４内の温度に応じたサーミスタ４２の抵抗値に対応した値の電圧を出力するサーミスタ端子２２と、回路基板６を介してハウジング５内のサーミスタ５２の一端に接続されて、ハウジング５内の温度に応じたサーミスタ５２の抵抗値に対応した値の電圧を出力するサーミスタ端子２３とが設けられている。
【００１８】
ここで、サーミスタ４２、５２の抵抗値は、ハウジング４、５内の温度に応じて変化するので、サーミスタ４２、５２に一定の電流を流した場合に、サーミスタ４２、５２の両端に生じる電位差も、ハウジング４、５内の温度に応じて変化する。詳細については後述するが、本実施形態では、サーミスタ４２、５２の両端に生じる電位差（ハウジング４、５内の温度に応じて変化する電位差）に相当する値の電圧をサーミスタ端子２２、２３から取り出して、これらの電圧に基づいて、複数に分離したハウジング４、５内の温度監視処理を行っている。なお、本実施形態では、サーミスタ４２、５２の温度−抵抗値特性は同じであるものとする。言い換えると、本実施形態では、同じ温度で同じ値の電流を流したときに、サーミスタ４２、５２の両端に生じる電位差（サーミスタ端子２２、２３から出力される電圧の値）は同じであるものとする。また、本実施形態で用いられるサーミスタ４２、５２は、いわゆるＮＴＣ（Negative Temperature Coefficient）サーミスタであり、温度の上昇に応じて抵抗値が小さくなるという温度−抵抗値特性を有している。
【００１９】
また、装置本体３は、装置全体の制御用のマイクロコントローラ（以下、マイコンと略す）１０（温度検知回路）と、電源プラグ３０を介して入力された商用電源からの交流電力を直流電力に変換して装置本体３の各部や液晶表示部１３に供給する電源回路１１と、光ディスクに記録された映像を再生する光ディスク再生部１２とを備えている。電源回路１１は、ユーザによる装置の携帯時には、バッテリパック２から電力を供給される。
【００２０】
また、装置本体３は、上記のバッテリパック２側の正極端子２１と接続された装置本体側の正極端子３１と、バッテリパック２側のサーミスタ端子２２と接続された装置本体側のサーミスタ端子３２と、バッテリパック２側のサーミスタ端子２３と接続された装置本体側のサーミスタ端子３３と、バッテリパック２側の負極端子２４と接続された装置本体側の負極端子３４とを有している。バッテリパック２側の２次電池４１、５１の充電時には、本体側の電源回路１１から、装置本体側の正極端子３１とバッテリパック２側の正極端子２１及び回路基板６とを介して、２次電池４１、５１への電力供給（２次電池４１、５１の充電）が行われ、ユーザによる装置の携帯時には、バッテリパック２側の２次電池４１、５１から、バッテリパック２側の正極端子２１及び回路基板６と装置本体側の正極端子３１とを介して、本体側の電源回路１１への電力供給（２次電池４１、５１の放電）が行われる。
【００２１】
また、装置本体３は、バッテリパック２側のサーミスタ端子２２、２３の各々から（装置本体側のサーミスタ端子３２、３３を介して）入力された電圧の値を比較して、比較結果に応じた値の電圧を出力するコンパレータ１４を有している。本実施形態では、標準的なオペアンプをコンパレータ１４として用いている。さらにまた、装置本体３は、サーミスタ端子３２、３３及びコンパレータ１４と接続されて、コンパレータ１４から入力された電圧の値に応じて、バッテリパック２側のサーミスタ端子２２、２３の各々から（装置本体側のサーミスタ端子３２、３３を介して）入力された電圧のうち、最も低い値の電圧を選択的に出力するアナログスイッチＩＣ１５（スイッチ回路）を有している。アナログスイッチＩＣ１５は、コンパレータ１４から入力された電圧の値がＬ（ロー）のときには、バッテリパック２側のサーミスタ端子２２から入力された電圧を出力し、コンパレータ１４から入力された電圧の値がＨ（ハイ）のときには、バッテリパック２側のサーミスタ端子２３から入力された電圧を出力する。
【００２２】
上記のマイコン１０は、アナログスイッチＩＣ１５からの電圧を入力するための入力ポート１０ａを有し、この入力ポート１０ａに入力された電圧に基づいて、ハウジング４、５内の温度のうち、高い方の温度（最も高い温度）を検知すると共に、この温度検知結果に基づいて、バッテリパック２の（より詳細にはハウジング４、５内の）温度監視処理を行う。
【００２３】
次に、本光ディスク再生装置１の温度検知処理における各回路の動作について説明する。ハウジング４内の温度がハウジング５内の温度よりも高いときには、ハウジング４内に配されたサーミスタ４２と接続されたサーミスタ端子２２からコンパレータ１４に入力される電圧の値が、ハウジング５内に配されたサーミスタ５２と接続されたサーミスタ端子２３からコンパレータ１４に入力される電圧の値よりも低くなる。この場合には、コンパレータ１４からの出力はローになるので、アナログスイッチＩＣ１５は、バッテリパック２側のサーミスタ端子２２から入力された電圧（ハウジング４内の温度に応じた電圧）を選択的にマイコン１０の入力ポート１０ａへ出力する。マイコン１０は、サーミスタ端子２２から入力ポート１０ａに入力された、ハウジング４内の温度に応じた電圧に基づいて、（ハウジング４、５内の温度のうち高い方の温度である）ハウジング４内の温度を検知（判定）する。そして、マイコン１０は、この温度検知結果に基づいて、バッテリパック２の温度監視処理を行う。具体的には、マイコン１０は、ハウジング４内の温度が所定の温度よりも高くなると、液晶表示部１３への警告メッセージの表示、不図示のスピーカによる警告音の出力、或いはバッテリパック２側の２次電池４１、５１への充電又は放電の停止等の処理を実行する。
【００２４】
これに対して、ハウジング５内の温度がハウジング４内の温度よりも高いときには、ハウジング５内に配されたサーミスタ５２と接続されたサーミスタ端子２３からコンパレータ１４に入力される電圧の値が、ハウジング４内に配されたサーミスタ４２と接続されたサーミスタ端子２２からコンパレータ１４に入力される電圧の値よりも低くなる。この場合には、コンパレータ１４からの出力はハイになるので、アナログスイッチＩＣ１５は、バッテリパック２側のサーミスタ端子２３から入力された電圧（ハウジング５内の温度に応じた電圧）を選択的にマイコン１０の入力ポート１０ａへ出力する。マイコン１０は、サーミスタ端子２２から入力ポート１０ａに入力された、ハウジング５内の温度に応じた電圧に基づいて、（ハウジング４、５内の温度のうち高い方の温度である）ハウジング５内の温度を検知（判定）する。そして、マイコン１０は、この温度検知結果に基づいて、バッテリパック２の温度監視処理を行う。
【００２５】
上記のように、本実施形態の光ディスク再生装置１によれば、マイコン１０が、１つの入力ポート１０ａに入力された電圧に基づいて、複数に分離したハウジング４、５内の温度のうち、最も高い温度を検知することができるので、バッテリパック２側の２次電池収納用のハウジングを２つに分離した構成でありながら、マイコン１０における温度検知用の入力ポートの数を１つにすることができる。これにより、マイコン１０の製造コストを抑えることができる。また、マイコン１０が、複数に分離したハウジング４、５内の温度のうち、最も高い温度を検知して、この最も高い温度に基づいて温度監視処理を行うので、従来のように、マイコンが、複数に分離した全てのハウジング内のサーミスタ（端子）からの入力に基づいて、分離した全てのハウジング内の温度の検知と監視を行った場合と比べて、マイコン１０側で行われる温度監視処理を簡単にすることができる。
【００２６】
次に、上記のように、バッテリパック２側の２次電池収納用のハウジングを複数に分離する必要性のあるケースの例について、図２及び図３を参照して説明する。図２は、上記のハウジングを複数に分離する必要性のあるケースに相当する光ディスク再生装置１の一例の分解斜視図である。以下の説明において、前（方向）、後（方向）、左（方向）、右（方向）とは、それぞれ図中の矢印で示す前後左右の方向に相当する。また、請求項３における左（方向）、右（方向）とは、それぞれ図中の矢印で示す左右の方向に相当する。
【００２７】
図２に示される光ディスク再生装置１は、主に、光ディスク再生部１２や装置全体の制御用の制御基板６２を有する装置本体３と、液晶表示部１３とから構成されている。装置本体３と液晶表示部１３とは、２軸ヒンジ６５により回転回動自在（回転開閉自在）に連結される。すなわち、２軸ヒンジ６５は、装置本体３と液晶表示部１３とを連結し、装置本体３は、２軸ヒンジ６５を用いて液晶表示部１３を回転回動自在に支持する。ここで、回転とは、液晶表示部１３の水平方向への回転を意味し、回動とは、液晶表示部１３の（図中の矢印で示される）前後方向への回転（２軸ヒンジ６５の水平方向の回転軸を中心とした回転）を意味する。ユーザは、光ディスク再生装置１を携帯する時には、２軸ヒンジ６５を水平方向の回転軸を中心として回動させることにより、液晶表示部１３を、前方向に回転させ、液晶表示部１３を装置本体３の上に折り重ねた状態にして、光ディスク再生装置１を持ち運ぶ。
【００２８】
上記の２軸ヒンジ６５は、ヒンジ機構部６５ａと、２軸ヒンジ６５を装置本体３側に結合するための結合部６５ｂとを有している。装置本体３は、その後端部の中央に、２軸ヒンジ６５の結合部６５ｂの取り付けと収納を行うためのヒンジ取付収納部６７（請求項３における凸部に相当）を有している。このヒンジ取付収納部６７内には、装置本体３側と液晶表示部１３側とを電気的に接続するための電気配線も格納される。この電気配線は、２軸ヒンジ６５の内部を挿通して、装置本体３側と液晶表示部１３側とを電気的に接続する。２軸ヒンジ６５の装置本体３への取り付けと、装置本体３側への電気配線の接続が完了した後は、ヒンジ取付収納部６７の上部は、カバー６４により覆われる。
【００２９】
また、装置本体３は、光ディスク再生部１２と光ディスク再生部１２に装着された光ディスクとを保護するための内蓋６３を備えている。この内蓋６３は、光ディスク再生装置１の携帯時や、光ディスク再生部１２による映像の再生時には、閉じられて、光ディスク再生部１２と光ディスク再生部１２に装着された光ディスクとを覆い、これらを保護する。
【００３０】
上記のバッテリパック２は、装置本体３の後端部に着脱され、中央部にコの字型の凹部２ａを有している。バッテリパック２は、その長手方向両端（左右端）に、２次電池４１、５１を収納する２つに分離したハウジング（ハウジング４とハウジング５）を有し、ハウジング４は、２つの円筒型の２次電池４１を収容しており、ハウジング５も、２つの円筒型の２次電池５１を収容している。また、バッテリパック２は、ハウジング４、５に収容された全ての２次電池４１、５１についての共通の充放電用の回路基板６を、凹部２ａ内に有している。この回路基板６は、端部に端子部２ｈを有しており、この端子部２ｈは、バッテリパック２の筐体外部に露出している。端子部２ｈにおける端子には、図１中の正極端子２１、負極端子２４、及びサーミスタ端子２２、２３が含まれている。
【００３１】
バッテリパック２側の凹部２ａは、装置本体３側のヒンジ取付収納部６７に対応した位置（バッテリパック２の装置本体３への装着時にヒンジ取付収納部６７の真下になる位置）に設けられており、ヒンジ取付収納部６７の左右方向の幅Ｗ２よりも大きな左右方向の幅Ｗ１を持っている。また、装置本体３は、その後端部におけるヒンジ取付収納部６７の左側と右側とに、バッテリパック２のハウジング４とハウジング５とを収納するための左収納凹部６８ａと右収納凹部６８ｂとを有している。このような構成にしたことにより、装置本体３の後端部の中央に取り付けられた２軸ヒンジ６５とバッテリパック２とを装置本体３の後部に効率よく収納して、光ディスク再生装置１全体の小型化と薄型化を図ることができる。
【００３２】
図３は、バッテリパック２を装置本体３に装着した状態を示す。この図に示されるように、上記のような構造上の工夫を施したことにより、バッテリパック２を装置本体３の後部に効率よく収納することができる。
【００３３】
また、装置本体３側の左収納凹部６８ａと右収納凹部６８ｂの内側面には、いずれもバッテリパック２の装着用のガイドバー７１とガイド溝８１とが設けられている。このガイドバー７１とガイド溝８１の長手方向は、装置本体３の水平面への載置時に、水平面と平行になる方向（図中の矢印で示される前後方向）である。一方、バッテリパック２は、その左側面と右側面とに、ガイドバー７１の挿入可能なガイド溝２ｅを有している。また、バッテリパック２のハウジング４の右側面とハウジング５の左側面とには、装置本体３側のガイド溝８１に挿入可能なガイドレール９１が設けられている。さらにまた、バッテリパック２のハウジング４、ハウジング５の上面２ｆ、２ｇは、平坦であり、ガイド溝２ｅ及びガイドレール９１の長手方向と平行である。
【００３４】
上記のように、装置本体３における後端部の中央にヒンジ取付収納部６７（凸部）を設けた場合に、バッテリパック２を装置本体３の後部に効率よく収納しようとすれば、図２に示されるように、凹部２ａを挟んでハウジングを複数に分離することが最善の方法と考えられる。図２及び図３に示される構成例の光ディスク再生装置１においては、凹部２ａを挟んでハウジングを複数に（ハウジング４とハウジング５に）分離した。そして、その上で、バッテリパック２側の凹部２ａが、装置本体３側のヒンジ取付収納部６７に対応した位置に設けられ、ヒンジ取付収納部６７よりも大きな左右方向の幅を持ち、しかも、装置本体３の端部におけるヒンジ取付収納部６７の左側と右側に、バッテリパック２の各ハウジング４、５を収納するための左収納凹部６８ａと右収納凹部６８ｂを設ける構成にした。これにより、バッテリパック２を装置本体３に効率よく収納して、装置の小型化と薄型化を図ることができる。
【００３５】
なお、本発明は、上記実施形態の構成に限られず、発明の趣旨を変更しない範囲で種々の変形が可能である。例えば、上記実施形態では、サーミスタとして、いわゆるＮＴＣサーミスタ（温度の上昇に応じて抵抗値が小さくなる特性を有するサーミスタ）を用いて、アナログスイッチＩＣ１５が、バッテリパック２側のサーミスタ端子２２、２３の各々から入力された電圧のうち、最も低い値の電圧を選択的に出力する場合の例を示した。けれども、サーミスタとして、いわゆるＰＴＣ（Positive Temperature Coefficient）サーミスタ（温度の上昇に応じて抵抗値が大きくなる特性を有するサーミスタ）を用いて、アナログスイッチＩＣが、バッテリパック側の複数のサーミスタ端子の各々から入力された電圧のうち、最も高い値の電圧を選択的に出力するようにしてもよい。また、上記実施形態では、バッテリパック２のハウジングを２つに分離した場合の例を示したが、バッテリパックのハウジングを３つ以上に分離してもよい。さらにまた、上記実施形態では、本発明を携帯型の光ディスク再生装置１に適用した場合の例を示したが、本発明を光ディスク再生装置以外の携帯型の再生装置に適用してもよいし、携帯電話等の、再生装置以外の携帯型電気機器に適用してもよい。
【符号の説明】
【００３６】
１    光ディスク再生装置（携帯型電気機器）
２    バッテリパック
２ａ  凹部
３    装置本体
４    ハウジング
５    ハウジング
１０  マイコン（温度検知回路）
１０ａ  入力ポート
１４  コンパレータ
１５  アナログスイッチＩＣ（スイッチ回路）
２２  サーミスタ端子
２３  サーミスタ端子
４１  ２次電池
４２  サーミスタ
５１  ２次電池
５２  サーミスタ
６７  ヒンジ取付収納部（凸部）
６８ａ  左収納凹部（収納凹部）
６８ｂ  右収納凹部（収納凹部）
Ｗ１  幅（請求項における「左右方向の幅」）
【図１】
2011154764.tif 000003
【図２】
2011154764.tif 000004
【図３】
2011154764.tif 000005